(57)【要約】【課題】      配管作業の効率化を図ることができる配管支持具の提供。【解決手段】  配管支持具には、長板状の支持板１８，１９と、支持板１８，１９に対して管２を着脱可能に保持するベルト２０を備える。支持板１８，１９の長手方向に沿って相互に離間して多数形成した取付孔１８ｃ，１９ｃに、支持する管２の本数や外径、あるいは配置形態に応じて、選択的にベルト２０を挿通して複数本の管２を支持することができる。よって、１本１本管２を個別に建物に取付ける必要がなくなり、複数本の管２を纏めて配管できるので、配管作業の効率化を図ることが可能である。【選択図】    図４
2005256945.tif 000002
【特許請求の範囲】
【請求項１】
建物に取付けられてガス管、給水管、給湯管、回線保護管などの管を支持する配管支持具において、
長板状の支持板と、支持板に対して管を着脱可能に保持する保持具と、を備えるとともに、支持板の長手方向に沿って相互に離間して多数形成した取付孔の全部又は一部に保持具を取付け、該長手方向に沿って並列に複数本の管を支持可能としたことを特徴とする配管支持具。
【請求項２】
建物に設置する二重床の支持脚に取付けられてガス管、給水管、給湯管、回線保護管などの管を支持する配管支持具であって、
該二重床の支持脚に取付ける連結部を有する長板状の支持板と、支持板に対して管を着脱可能に保持する保持具と、を備えるとともに、支持板の長手方向に沿って相互に離間して多数形成した取付孔の全部又は一部に保持具を取付け、該長手方向に沿って並列に複数本の管を支持可能としたことを特徴とする配管支持具。
【請求項３】
建物の天井面に取付けられてガス管、給水管、給湯管、回線保護管などの管を支持する配管支持具であって、
長板状の支持板と、支持板に対して管を着脱可能に保持する保持具と、該天井面に対し支持板を固定するアンカーと、を備えるとともに、支持板の長手方向に沿って相互に離間して多数形成した取付孔の全部又は一部に保持具を取付け、該長手方向に沿って並列に複数本の管を支持可能としたことを特徴とする配管支持具。
【請求項４】
支持板を、該保持具の取付孔を各々形成した複数枚の長板を組み合わせて構成し、長板どうしの重ね合わせ長さに応じてその全長を可変としてある請求項１〜請求項３何れか１項記載の配管支持具。
【請求項５】
保持具が、長尺な線状又は帯状のベルトである請求項１〜請求項４何れか１項記載の配管支持具。
【請求項６】
保持具が、管の外周面を着脱可能に保持する環状の把持部と、支持板の取付孔へ挿通し固定される取付脚と、を有するサドルである請求項１〜請求項４何れか１項記載の配管支持具。
【請求項７】
支持板に、保持具の取付孔を有する管の支持面部に対し高さ方向で段差のある取付面部を形成した請求項１〜請求項６何れか１項記載の配管支持具。
【発明の詳細な説明】
【技術分野】
【０００１】
この発明は、建物の躯体に這わせて敷設する配管支持具に関する。
【背景技術】
【０００２】
建物の設備工事では、ガス管、給水管、給湯管、回線保護管など各種の管の固定に用いる配管支持具として、例えば図６のようなものが使用されている。この配管支持具１は、ベース１ａと管２を挿通保持するホルダー１ｂとを有する形態で、合成樹脂や金属を素材として作られている。これを使って配管作業を行うには、まず管２をホルダー１ｂに予め挿通しておく。そして、アンカーボルト等のアンカー１ｄを、ハンマードリル等を使って、ベース１ａに貫通形成した孔１ｃに通すようにして建物の固定面３に打込むようにしている。
【発明の開示】
【発明が解決しようとする課題】
【０００３】
しかしながら、こうした従来の配管支持具１を使った配管作業では、多数のアンカー１ｄを１本ごと打込む必要があるため、配管作業を終えるまでに多くの労力と長時間を要していた。
【０００４】
また、建物の固定面３に対するアンカー１ｄの打込みによって大きな打込音が発生する。このため、例えば集合住宅のリフォーム等の一環として配管作業をすると、固定面３となる躯体のスラブや室内空間を通じて大きな打込音が周囲に響き渡り、隣接する部屋や上下階の部屋に居住している住民にとっては、これが騒音問題となってしまう。したがって、周囲の住民に余り迷惑の掛からない時間帯にできるだけ短時間で、配管作業を終了することが望まれるが、前述のとおり多数のアンカー１ｄを打込む必要がある従来の配管支持具１では、この要請に応えることができなかった。
【０００５】
さらに、従来の配管支持具１では、一旦アンカー１ｄを打込んでしまうと、建物の固定面３に強固に固定されるため、配管のレイアウト変更などが必要な場合に、臨機応変に配管し直すことが困難であった。
【０００６】
そして、従来の配管支持具１は、管２を通すホルダー１ｂの口径が決まっているため、配管する管２の外径に対応する専用の配管支持具１を別々に用意しなければならず、ガス管、給水管、給湯管、回線保護管など様々な管に共用できるものではなかった。
【０００７】
本発明は、こうした従来の配管支持具１の抱える問題を解決すべくなされたものである。すなわち、本発明の目的は、配管作業の効率化を図ることにある。
【０００８】
また、本発明の他の目的は、アンカーの打込みによる騒音を低減するか皆無にすることにある。
【０００９】
さらに、本発明の他の目的は、配管のレイアウト変更にも容易に対応できるようにすることにある。
【００１０】
そしてまた、本発明の他の目的は、外径の異なる管を支持できるようにすることにある。
【課題を解決するための手段】
【００１１】
そこで、本発明は、建物に取付けられてガス管、給水管、給湯管、回線保護管などの管を支持する配管支持具について、長板状の支持板と、支持板に対して管を着脱可能に保持する保持具と、を備えるとともに、支持板の長手方向に沿って相互に離間して多数形成した取付孔の全部又は一部に保持具を取付け、該長手方向に沿って並列に複数本の管を支持可能としたことを特徴とする配管支持具を提供する。
【００１２】
この配管支持具によれば、支持板の長手方向に沿って相互に離間して多数形成した取付孔に保持具を取付けて、該長手方向に沿って並列に複数本の管を支持可能としたので、複数本の管を纏めて支持板で支持して配管作業の効率化を図ることができる。また、支持板に対する管の取付時には、近隣住民に対する騒音問題が発生しない。さらに、支持板に多数形成した取付孔に対し選択的に保持具を取付けることで、支持板上における管の配置に自由度があり、外径が大小異なる様々な管を混在して支持する場合でも保持具の取付位置の調整によって適切に支持できる。そして、保持具は管を着脱可能に保持するため、一旦取付けた後に配管のレイアウト変更が生じた場合でも容易に管の取外しと取付けが行える。
【００１３】
また、本発明は、建物に設置する二重床の支持脚に取付けられてガス管、給水管、給湯管、回線保護管などの管を支持する配管支持具であって、該二重床の支持脚に取付ける連結部を有する長板状の支持板と、支持板に対して管を着脱可能に保持する保持具と、を備えるとともに、支持板の長手方向に沿って相互に離間して多数形成した取付孔の全部又は一部に保持具を取付け、該長手方向に沿って並列に複数本の管を支持可能としたことを特徴とする配管支持具を提供する。
【００１４】
この配管支持具によれば、支持板の長手方向に沿って相互に離間して多数形成した取付孔に保持具を取付けて、該長手方向に沿って並列に複数本の管を支持可能としたので、複数本の管を纏めて支持板で支持して配管作業の効率化を図ることができる。また、支持板に対する管の取付時には、近隣住民に対する騒音問題が発生しない。さらに、支持板に多数形成した取付孔に対し選択的に保持具を取付けることで、支持板上における管の配置に自由度があり、外径が大小異なる様々な管を混在して支持する場合でも保持具の取付位置の調整によって適切に支持できる。そして、保持具は管を着脱可能に保持するため、一旦取付けた後に配管のレイアウト変更が生じた場合でも容易に管の取外しと取付けが行える。また、連結部を介して二重床の支持脚に取付けるため、配管作業としてアンカーを建物の躯体等に打込む必要がなく、大きな打込音による騒音問題を皆無にできる。さらに、支持板は、建物の躯体等に直接固定せずに二重床の支持脚に取付けるため、この点でも配管のレイアウト変更等に容易に対応できる。
【００１５】
さらに、本発明は、建物の天井面に取付けられてガス管、給水管、給湯管、回線保護管などの管を支持する配管支持具であって、長板状の支持板と、支持板に対して管を着脱可能に保持する保持具と、該天井面に対し支持板を固定するアンカーと、を備えるとともに、支持板の長手方向に沿って相互に離間して多数形成した取付孔の全部又は一部に保持具を取付け、該長手方向に沿って並列に複数本の管を支持可能としたことを特徴とする配管支持具を提供する。
【００１６】
この配管支持具によれば、支持板の長手方向に沿って相互に離間して多数形成した取付孔に保持具を取付けて、該長手方向に沿って並列に複数本の管を支持可能としたので、複数本の管を纏めて支持板で支持して配管作業の効率化を図ることができる。また、支持板に対する管の取付時には、近隣住民に対する騒音問題が発生しない。さらに、支持板に多数形成した取付孔に対し選択的に保持具を取付けることで、支持板上における管の配置に自由度があり、外径が大小異なる様々な管を混在して支持する場合でも保持具の取付位置の調整によって適切に支持できる。そして、保持具は管を着脱可能に保持するため、一旦取付けた後に配管のレイアウト変更が生じた場合でも容易に管の取外しと取付けが行える。そして、多数本の管を支持可能としつつ、支持板をアンカーで天井面へ固定すれば建物に取付けられるので、管ごとに複数本のアンカーを打込まなければならない従来技術と比べて打込音による騒音の発生を大幅に低減できる。
【００１７】
そして、本発明では、以上の配管支持具について、支持板を、該保持具の取付孔を各々形成した複数枚の長板を組み合わせて構成し、長板どうしの重ね合わせ長さに応じてその全長を可変として構成する。
【００１８】
この配管支持具によれば、建物への取付箇所に応じて、また支持する管の本数に応じて、支持板の長さを容易に調整できる。この場合、長板どうしの連結は、各長板にその長さ方向に沿って相互に離間する連結用の孔を形成し、長板どうしの重合部分でボルト等の締結具を使って連結できる。そして、少なくとも何れかの長板の連結孔を長板の長手方向に沿って長い長孔として形成することで、支持板の長さの微調整が可能である。さらに、連結孔は、連結専用の孔ではなく、保持具の取付孔を締結具の連結孔として共用するものとして構成できる。
【００１９】
さらに、本発明では、管を支持板に拘束する保持具を、長尺な線状又は帯状のベルトとして構成する。
【００２０】
これによれば、線状又は帯状のベルトを、支持板の長手方向に沿って多数形成された取付孔に対し選択的に挿通させることで、支持対象とする管の外径や本数に応じて適切に支持することができ、また支持板における管の支持位置を任意に選択することも可能であり、さらにベルトの取外しによって一旦支持した管の取外しや再配置を容易に行うことができる。
【００２１】
また、本発明では、保持具を、管の外周面を着脱可能に保持する環状の把持部と、支持板の取付孔へ挿通し固定される取付脚と、を有するサドルとして構成する。
【００２２】
これによれば、サドルを支持板の取付孔に選択的に固定することで、支持板における管の支持位置を任意に選択することが可能であり、またサドルの把持部に対してワンタッチで管の着脱を行うことができる。
【００２３】
そして、本発明では、保持具の取付孔を有する管の支持面部に対し高さ方向で段差のある取付面部を形成したものとして支持板を構成する。
【００２４】
これによれば、支持面部で支持する管径のバリエーションを拡大できる。すなわち、支持板を長手方向にわたって高低差の無い平板形状とした場合、支持板上で支持可能な管径は、建物に取付けた支持板と、その周辺の構造要素や構造要素に付帯して設置した各種部材の対向面（例えば二重床の裏面や天井面）と、の隙間の大きさに依存する限界がある。これに対して本発明であれば、支持面部と取付面部との間には高さ方向で段差があり、その隙間を拡大できるので、外径の大きい管でも保持することが可能となる。
【発明の効果】
【００２５】
本発明の配管支持具によれば、支持板の長手方向に沿って並列に複数本の管を支持可能であるため、管を一本一本建物へ取付ける必要がなく、予め複数本の管を纏めて支持することで配管作業の効率化が図れる。また、支持板に対する管の取付時には、近隣住民に対する騒音問題が発生しない。さらに、多数の取付孔に対し保持具を選択的に取付けることで、管の配置に自由度があり、様々な外径の管を混在させた状態で適切に支持できる。そして、保持具は管を着脱可能に保持するため、配管のレイアウト変更にも容易に対応できる。
【００２６】
連結部を介して二重床の支持脚に取付ける本発明の配管支持具によれば、配管作業としてアンカーを建物の躯体等に打込む必要がなく、騒音問題を皆無にできる。さらに、支持板は、建物の躯体等に直接固定しないため、配管のレイアウト変更等に容易に対応できる。
【００２７】
支持板をアンカーで天井面へ固定して建物に取付ける本発明の配管支持具によれば、打込音による騒音を大幅に低減できる。
【００２８】
支持板の全長を長板どうしの重ね合わせ長さに応じて可変とした本発明の配管支持具によれば、建物への取付箇所に応じて、また支持する管の本数に応じて、支持板の長さを容易に調整できる。
【００２９】
管を支持板に拘束する保持具を、長尺な線状又は帯状のベルトとした本発明の配管支持具によれば、ベルトを、支持板の長手方向に沿って多数形成された取付孔に対し選択的に挿通させて、支持対象とする管の外径や本数に応じて適切に支持可能であり、また支持板における管の支持位置を任意に選択することも可能であり、さらにベルトの取外しによって一旦支持した管の取外しや再配置を容易に行える。
【００３０】
保持具をサドルとした本発明の配管支持具によれば、サドルを支持板の取付孔に選択的に固定することで、支持板における管の支持位置を任意に選択することが可能であり、またサドルの把持部に対してワンタッチで管の着脱を行える。
【００３１】
保持具の取付孔を有する管の支持面部に対し高さ方向で段差のある建物への取付面部を形成したものとして支持板を構成した本発明の配管支持具によれば、支持面部と取付面部との間に高さ方向で段差があり、支持面部とその対向面との隙間を拡大できるので、外径の大きい管でも支持可能である。
【発明を実施するための最良の形態】
【００３２】
以下、本発明による配管支持具の実施形態の例について図面を参照しつつ説明する。なお、各実施形態での共通部分には同一の符号を付して重複説明を省略する。
【００３３】
第１実施形態〔図１，図２〕：  この実施形態による配管支持具１０は、図１で示すように、金属製の２枚の「長板」としての支持板１１，１２を備える。双方の支持板１１，１２に共通するのは、先ず、それらの長手方向に沿って所定の間隔で離間させて複数の取付孔１３，１４を貫通形成したことであり、各取付孔１３，１４には管２を支持する「保持具」としてのサドル１５が取付けられる。また、支持板１１の取付孔１３はネジ孔として形成されており、支持板１２の取付孔１４と、上下で合致させてボルトＢを挿通して締結することで、支持板１１，１２を一体に連結するためにも用いられる。このように、取付孔１３，１４は、二つの用途に共用可能なものとして形成されている。
【００３４】
このうち、支持板１２の取付孔１４は、長孔として形成されているが、これはボルトＢにより支持板１１，１２を相互に固定しても、長孔の長さ範囲で支持板１２をスライドさせることで、配管支持具１０の全長を微調整できるようにするためである。よって、調整可能な長さを本実施形態よりも更に十分にとるためには、支持板１２の長さ方向に沿って取付孔１４を更に長く形成することで対応できる。なお、このように、支持板１２のスライド時には、支持板１２の長さ方向に沿う両端を曲げ下げたガイド部１２ａが形成されているので、支持板１１，１２どうしの幅方向でのズレを規制しながらスライドが可能である。
【００３５】
各支持板１１，１２の取付孔１３，１４に固定するサドル１５には、有端環状の把持部１５ａが形成されており、管２の取付け取外しにより弾性的に拡径し復帰することで、ワンタッチで支持対象の管２を着脱可能となっている。また、サドル１５には、取付脚１５ｂが形成されており、取付孔１３，１４を通じて裏面側の孔縁と係止して抜止めされるようになっている。なお、取付孔１３については、ネジ孔として形成されているので、取付脚１５ｂに代えてネジの挿通孔を形成し、ネジを取付孔１３に締結してサドル１５を固定することもできる。
【００３６】
各支持板１１，１２の両端には、図２で示すように、建物の床Ｆに設置する二重床Ｆ１の支持脚Ｆ２に対する「連結部」として、挿通孔１６が形成される。本実施形態の配管支持具１０は、支持脚Ｆ２をこの挿通孔１６に通すことで、建物に直付けではなく間接的に取付けられることになる。なお、ここで例示する二重床Ｆ１は、建物の新築時に設置されるものや、リフォーム時に設置するもの等、その何れでも構わないものである。
【００３７】
次に、本実施形態の配管支持具１０による作用・効果を説明する。
【００３８】
配管支持具１０は、その長手方向に沿って並列に複数本の管２を支持可能である。よって、管２を１本ごとに建物へ取付ける必要がなく、配管の作業効率が向上する。
【００３９】
支持板１１，１２に対する管２の取付時はもちろんのこと、配管支持具１０を二重床Ｆ１の支持脚Ｆ２に取付ける際にも、アンカーの打込みが不要であり、近隣住民に対する騒音を皆無にできる。
【００４０】
支持板１１，１２が重なり合う長さを調整することで、また長孔形状の取付孔１４の長さ範囲で支持板１２をスライドさせることで、配管支持具１０の全長を調整可能であるため、二重床Ｆ１の支持脚Ｆ２どうしの間隔に対応した取付けが可能である。
【００４１】
多数の取付孔１３，１４に対しサドル１５を選択的に取付可能であるため、管２の配置に自由度があり、様々な外径の管２を混在状態で確実に支持できる。
【００４２】
取付孔１３，１４は、サドル１５の取付用として、またボルトＢを使った連結用として共用可能である。
【００４３】
サドル１５の把持部１５ａに管２をワンタッチで着脱できるので、配管のレイアウト変更にも容易に対応できる。また、サドル１５自体も取付脚１５ｂによってワンタッチで容易に取付け可能である。
【００４４】
第２実施形態〔図３，図４〕：  この実施形態による配管支持具１７が、第１実施形態の配管支持具１０と相違する点は、図３で示すように、金属製の２枚の「長板」としての支持板１８，１９の両端に、クランク状に一段高くした取付面部１８ａ，１９ａを曲折形成し、管２を保持する支持面部１８ｂ，１９ｂを一段低くした点、「保持具」として可撓性のあるベルト２０を用い、ベルト２０の終端を開閉可能なクリップ２１で挟み込んで抜止めする点、支持板１８，１９の長手方向に沿ってベルト２０の取付孔１８ｃ，１９ｃを複数形成した点である。
【００４５】
この配管支持具１７で管２を支持するには、図４で示すように、支持板１８，１９どうしをボルトＢとナットＮの締結により連結し、各取付面部１８ａ，１９ａの挿通孔１６を二重床Ｆ１の支持脚Ｆ２に通すようにする。なお、本実施形態では、支持面部１８ｂ，１９ｂが床Ｆに当たらないように、支持脚Ｆ２にスペーサＦ３を取付けた状態としているが、施工状況に応じてスペーサＦ３の使用を省略してもよい。
【００４６】
そして、支持面部１８ｂ，１９ｂに管２を取付けるには、ベルト２０を取付孔１８ｃ，１９ｃに挿通して支持対象の管２の外周に掛け回していくようにすればよい。ベルト２０の終端は、金属製のクリップ２１で挟み込み、その係止部２１ａを支持板１８，１９の裏面側（床Ｆとの対向面側）に引っ掛けるようにする。以上によって、本実施形態の配管支持具１７によって各種の管２を支持することができる。
【００４７】
次に、本実施形態による配管支持具１７の作用・効果を説明する。
【００４８】
配管支持具１７は、その長手方向に沿って並列に複数本の管２を支持可能である。よって、管２を１本ごとに建物へ取付ける必要がなく、配管の作業効率が向上する。
【００４９】
支持板１８，１９に対する管２の取付時はもちろんのこと、配管支持具１７を二重床Ｆ１の支持脚Ｆ２に取付ける際にも、アンカーの打込みが不要であり、近隣住民に対する騒音を皆無にできる。
【００５０】
支持板１８，１９が重なり合う長さを調整することで、また長孔形状の取付孔１４の長さ範囲で支持板１９をスライドさせることで、配管支持具１７の全長を調整可能であるため、二重床Ｆ１の支持脚Ｆ２どうしの間隔に対応して取付けが可能である。
【００５１】
多数の取付孔１８ｃ，１９ｃに対しベルト２０を選択的に挿通することができるため、管２の配置に自由度があり、支持本数や外径に応じて管２を適切に支持できる。なお、図４において、支持板１９では隣接する取付孔１９ｃの間で１本の管２を支持するようにしているが、支持板１８の取付孔１８ｃに挿通したベルト２０のように、何本かの管２を纏めて支持してもよい。逆に、支持板１８について、隣接する取付孔１８ｃの間で１本の管２を支持するようにしてもよい。
【００５２】
可撓性のあるベルト２０で管２を支持するため、外径の異なる管２ごとに専用の保持具が不要であり、部品点数を低減できる。
【００５３】
管２の支持面部１８ｂ，１９ｂに対して取付面部１８ａ，１９ａが高さ方向で一段高くしているため、支持面部１８ｂ，１９ｂとその対向面となる二重床Ｆ２との間の隙間を拡大できる。したがって、外径の大きい管２でも二重床Ｆ２と接触させずに保持できる。
【００５４】
ベルト２０の終端は、クリップ２１で狭持しているため、取付孔１８ｃ，１９ｃからのベルト２０の抜止めが確実になされる。また、クリップ２１の係止部２１ａを支持板１８，１９の裏面側（床Ｆとの対向面側）に引っ掛けてあるので、ベルト２０の終端を収まりよく保持できる。
【００５５】
クリップ２１を取外してベルト２０を抜き取れば、管２を取外せるので、配管のレイアウト変更にも容易に対応できる。
【００５６】
実施形態の変形例〔図５〕：  前記各実施形態では、支持板１１，１２，１８，１９として金属製のものを例示したが、硬質合成樹脂製のものでもよい。また、何れの実施形態でも２枚の支持板１１，１２，１８，１９で構成した配管支持具１０，１７を例示したが、１枚又は３枚以上の構成でもよい。さらに、第１実施形態の支持板１１，１２に、第２実施形態の支持板１８，１９の取付面部１８ａ，１９ａを形成したり、取付孔１８ｃ，１９ｃを形成してもよい。また、第２実施形態については支持板１８の取付孔１８ｃを長孔として形成し、支持板１９の取付孔１９ｃを門形に立ち上げて曲折形成したが、双方の支持板１８，１９に何れか一方の同じ取付孔１８ｃ，１９ｃを形成してもよい。そして、第２実施形態の支持板１８，１９の取付孔１３，１４に第１実施形態のサドル１５を取付けてもよい。なお、前記実施形態では取付孔１３をボルトＢを締結可能なネジ孔として形成しているが、ネジの挿通孔として形成し、別途のナットを用いてボルトＢを締結してもよい。
【００５７】
また、各実施形態の配管支持具１０，１７の建物への取付対象については、二重床Ｆ１の支持脚Ｆ２だけでなく、例えばスラブのような建物の構造要素としてもよい。第２実施形態の変形例によるその一例を図６に示す。この配管支持具２２は、支持板１８については第２実施形態と同一である。一方、支持板２３については、その下面側（スラブＳと対向しない側）に門形の取付孔２３ａを立ち上げた点で、上面側に立ち上げてある第２実施形態と異なっている。そして、配管支持具２２のスラブＳへの取付けにあたっては、アンカー２４を打込んで固定する。このようにすることで、多数の管２を配管する場合でも、アンカー２４を２本打込むだけで済むため、従来技術よりも打込音の発生回数が少なく近隣住民に対する騒音を緩和できる。
【図面の簡単な説明】
【００５８】
【図１】第１実施形態による配管支持具の分解斜視図。
【図２】図１の配管支持具の使用状態説明図。
【図３】第２実施形態による配管支持具の分解斜視図。
【図４】図３の配管支持具の使用状態説明図。
【図５】第２実施形態の変形例による配管支持具の使用状態説明図。
【図６】一従来例による配管支持具の使用状態を示す外観斜視図。
【符号の説明】
【００５９】
２      管
１０      配管支持具（第１実施形態）
１１，１２      支持板（支持板，長板）
１３，１４      取付孔
１５      サドル（保持具）
１５ａ    把持部
１５ｂ    取付脚
１６      挿通孔（連結部）
１７      配管支持具（第２実施形態）
１８      支持板（支持板，長板）
１８ａ    取付面部
１８ｂ    支持面部
１８ｃ    取付孔
１９      支持板（支持板，長板）
１９ａ    取付面部
１９ｂ    支持面部
１９ｃ    取付孔
２０      ベルト（保持具）
２１      クリップ
２２      配管支持具（第２実施形態の変形例）
２３      支持板（支持板，長板）
２３ａ    取付孔
２４      アンカー
Ｆ      床
Ｆ１    二重床
Ｆ２    支持脚
Ｆ３    スペーサ
Ｓ      スラブ
【図１】
2005256945.tif 000003
【図２】
2005256945.tif 000004
【図３】
2005256945.tif 000005
【図４】
2005256945.tif 000006
【図５】
2005256945.tif 000007
【図６】
2005256945.tif 000008